(57)【要約】    【課題】狭い隙間にも挿入でき、良好に清掃ができるように改良された電気掃除機用吸込具が望まれていた。    【解決手段】電気掃除機用吸込具１０は、本体１０および接続管１２を有する。接続管１２は、本体１１を前後方向に移動させるときは、後方に突出した状態になる。一方、本体１１を左右方向に移動させるときには、本体１１の左方向に向かって突出した状態となる。本体１１は、倒したり、斜めに向けたりすることなく、本体１１の底面に形成された吸込口１８を、常に被清掃面１００に対向させた状態に保ちながら、前後方向および左右方向に移動できる。    【効果】広い被清掃面１００の清掃および隙間清掃の両方を効率良く行える。【選択図】            図２
2007000277.tif 000002
【特許請求の範囲】
【請求項１】
前後方向に短く、左右方向に長手をし、底面に左右方向に長手の略長方形状の吸込口が形成されていて、吸込口を被清掃面に対向させた状態で被清掃面上を移動される本体と、  前記本体の上部の左右方向中央部に設けられた接続管と、を備え、
前記接続管は、
本体を前後方向に移動させるときに、電気掃除機の吸込パイプをつなげるように、本体上部中央から後方に向かって突出する状態と、
本体を左右方向に移動させるときに、電気掃除機の吸込パイプをつなげるように、本体上部中央から左方向または右方向に向かって突出する状態とに変位可能であることを特徴とする、電気掃除機用吸込具。
【請求項２】
前記本体は、所定の高さを有し、前後方向の寸法が高さよりも小さい形状をしていることを特徴とする、請求項１記載の電気掃除機用吸込具。
【請求項３】
前記接続管は、
本体に対して上下方向に回動する第１接続管と、
第１接続管に対して左右方向に回動する第２接続管とを含むことを特徴とする請求項１または２記載の電気掃除機用吸込具。
【請求項４】
前記本体内には、左右方向に延びる回転軸を中心に回転する回転ブラシと、
回転ブラシの左または右寄りであって、後方斜め上部に配置された回転ブラシを回転させるためのモータと、が設けられていることを特徴とする、請求項１〜３のいずれかに記載の電気掃除機用吸込具。
【請求項５】
前記本体内には、左右方向に延びる回転軸を中心に回転する回転ブラシと、
回転ブラシ内に配置された回転ブラシを回転させるためのモータと、が設けられていることを特徴とする、請求項１〜３のいずれかに記載の電気掃除機用吸込具。
【発明の詳細な説明】
【技術分野】
【０００１】
この発明は、電気掃除機本体に接続され、被清掃面の塵挨を空気とともに吸い込んで、電気掃除機本体側へ送るための電気掃除機用吸込具に関する。
【背景技術】
【０００２】
電気掃除機は、一般に、電動送風機を備えた本体と、本体に後端が取り付けられ、その先端には操作部が備えられたホースと、ホースの操作部に後端が接続され、その先端には吸込具が接続される吸込パイプとを有している。ユーザは、操作部に設けられたグリップを握り、吸込具を被清掃面に沿って前後に移動させることにより、清掃を行う。
従来の吸込具は、前後に移動される際に効率良く被清掃面の塵挨を吸い込めるよう、吸込パイプに対していわゆるＴ字状に接続される形状をしている。すなわち、吸込具は、左右方向に延びる幅、上下方向に延びる高さおよび前後方向に延びる奥行を有する本体を有していて、本体の幅（左右方向の寸法）は、高さおよび奥行（前後方向の寸法）に比べて大きくされている。そして本体の左右方向中央には、後方へ突出する接続管が設けられ、接続管に吸込パイプの先端が連結されている。
【０００３】
ところで、被清掃面には、広がりのある床面中央部だけではなく、床面隅の壁との境界部、ベッドの下、壁と家具との隙間等もあり、かかる被清掃面も、吸込具によって良好に塵挨が捕獲できなければならない。
そこで従来、吸込具は、吸込パイプに対して回動可能になっており、吸込パイプの先端で、吸込具がその角度や方向を変えられるようにされている。
【０００４】
このような構成の一例が、特開平１０−２６２８７８号公報（特許文献１）の第１９図などに示されている。
【特許文献１】特開平１０−２６２８７８号公報
【発明の開示】
【発明が解決しようとする課題】
【０００５】
特許文献１に提案されている構成では、吸込パイプの先端に取り付けられた吸込具は、本体の幅方向（左右方向）を吸込パイプの長さ方向と平行になるように、吸込具を回動させることができる。これにより、本体の奥行（前後方向）以上の隙間であれば、本体をその隙間に挿入することができ、吸込具によって隙間清掃を行える。
しかしながら、特許文献１に提案されている吸込具は、その奥行（前後寸法）が比較的大きく、家具と壁との隙間や、家具と家具との隙間等、接続された吸込パイプがようやく入る程度の狭い幅しかない隙間には、吸込具自体（本体）を挿入することができない。このため、従来は、吸込具を吸込パイプから外して、吸込パイプの先端を用いて隙間清掃を行っているのが現状であった。
【０００６】
そこでこの発明は、上述のような狭い隙間にも挿入でき、良好に清掃ができるように改良された電気掃除機用吸込具を提供することを主たる目的とする。
またこの発明は、被清掃面が広い場合であっても、狭い場合であっても、良好な清掃が行える新規な形態の電気掃除機用吸込具を提供することを他の目的とする。
【課題を解決するための手段】
【０００７】
請求項１記載の発明は、前後方向に短く、左右方向に長手をし、底面に左右方向に長手の略長方形状の吸込口が形成されていて、吸込口を被清掃面に対向させた状態で被清掃面上を移動される本体と、  前記本体の上部の左右方向中央部に設けられた接続管と、を備え、前記接続管は、本体を前後方向に移動させるときに、電気掃除機の吸込パイプをつなげるように、本体上部中央から後方に向かって突出する状態と、本体を左右方向に移動させるときに、電気掃除機の吸込パイプをつなげるように、本体上部中央から左方向または右方向に向かって突出する状態とに変位可能であることを特徴とする、電気掃除機用吸込具である。
【０００８】
請求項２記載の発明は、前記本体は、所定の高さを有し、前後方向の寸法が高さよりも小さい形状をしていることを特徴とする、請求項１記載の電気掃除機用吸込具である。  請求項３記載の発明は、前記接続管は、本体に対して上下方向に回動する第１接続管と、第１接続管に対して左右方向に回動する第２接続管とを含むことを特徴とする請求項１または２記載の電気掃除機用吸込具である。
【０００９】
請求項４記載の発明は、前記本体内には、左右方向に延びる回転軸を中心に回転する回転ブラシと、回転ブラシの左または右寄りであって、後方斜め上部に配置された回転ブラシを回転させるためのモータと、が設けられていることを特徴とする、請求項１〜３のいずれかに記載の電気掃除機用吸込具である。
請求項５記載の発明は、前記本体内には、左右方向に延びる回転軸を中心に回転する回転ブラシと、回転ブラシ内に配置された回転ブラシを回転させるためのモータと、が設けられていることを特徴とする、請求項１〜３のいずれかに記載の電気掃除機用吸込具である。
【発明の効果】
【００１０】
請求項１記載の発明によれば、本体は、前後方向に短く、左右方向に長手をしている。それゆえ、被清掃面が広い場合は、本体を前後方向に移動させれば、広い被清掃面を効率良く清掃することができる。一方、被清掃面が狭い場合、すなわち隙間清掃を行う場合は、本体を左右方向に移動させればよい。本体は前後方向に短いから、本体を左右方向に移動させる場合は、狭い隙間であっても本体を進入させることが可能である。
【００１１】
つまりこの発明では、本体自体を、倒したり、斜めに向けたりすることなく、本体の底面に形成された吸込口を、常に被清掃面に対向させた状態に保ちながら、本体の移動方向を前後方向にするか、左右方向にするかで、広い被清掃面の清掃および隙間清掃の両方を効率良く行える。
本体には、電気掃除機本体につながった吸込パイプ等を接続するための接続管が備えられている。接続管は、本体を前後方向に移動させるときには、本体上部中央から後方に向かって突出した状態になる。従って、接続管に吸込パイプ等を接続した場合、吸込パイプ等を操作することにより、本体をスムーズに前後方向に移動させることができる。
【００１２】
一方、本体を左右方向に移動させるときには、接続管は本体上部中央から左方向または右方向に向かって突出した状態となる。それゆえ、接続管に接続された吸込パイプ等は、本体を左右方向に移動させるのに適した角度および方向で本体とつながっており、本体をスムーズに左右方向へ移動させることができる。
請求項２記載の発明によれば、本体の形状は、前後方向の寸法が最も短い。従って、本体を左右方向に移動させる隙間清掃時に、狭い隙間であっても本体を進入させることが可能である。
【００１３】
請求項３記載の発明では、接続管が、本体に対して上下方向に回動する第１接続管および第１接続管に対して左右方向に回動する第２接続管に分かれている。それゆえ、本体を前後方向に動かす場合、および、本体を左右方向に動かす場合のそれぞれの状態に適した方向に、接続管を突出させることができる。
請求項４記載の発明では、本体内に回転ブラシおよびモータが内蔵されているので、モータにより回転される回転ブラシにより、被清掃面の塵挨を効果的に吸引することができる。
【００１４】
また、モータは、回転ブラシの左または右寄りであって、その後方斜め上部に配置されている。従って、接続管とモータとを、本体の左右方向に直線状に配置できる。よって本体の前後方向の寸法を小さく抑えることができる。
請求項５記載の発明でも、請求項４記載の発明と同様、回転ブラシによって効率良く被清掃面の塵挨を吸引することができる。また、回転ブラシを回転させるためのモータは、回転ブラシに内蔵されている。従って、本体内には、回転ブラシを配置するスペースがあればよく、モータを収容するスペースは必要でないから、本体の前後方向の寸法をより小さく抑えることができる。
【発明を実施するための最良の形態】
【００１５】
以下には、図面を参照して、この発明の実施形態について具体的に説明をする。
図１は、この発明の第１実施形態に係る電気掃除機用吸込具１０の正面図である。電気掃除機用吸込具１０は、本体１１および接続管１２を有している。本体１１は、前後方向（図１において紙面に直交方向）に短く、左右方向（図１において左右方向であって、幅方向）に幅Ｗの長手形状をしている。また、その高さＨは、幅Ｗよりも短く、かつ、前後方向長さ（厚み）よりも長い形状をしている。
【００１６】
本体１１は、底面が被清掃面１００に対向する状態で配置される。底面には、図１には現れていないが、左右方向に長手の略長方形状の吸込口が形成されている。また、本体１１の前方下方部には、吸込口の前方を開閉するための前シャッター１４が備えられている。
接続管１２は、本体１１の上部で、左右方向中央部に設けられた接続突部１５にその下端１２１が係合され、後方に向かって斜め上方へ延び出している。接続管１２は、その後方上端部１２２に、電気掃除機本体につながった吸込パイプ等を連結することができる。      
【００１７】
図２は、電気掃除機用吸込具１０の左右方向中央縦断面端面図である。この図において、後シャッター１６に関連する部分は、説明の便宜上移動用のローラー１７が示されている。
吸込具１０は、本体１１の前後方向の寸法である厚みＤは、厚みＤ＜高さＨ＜幅Ｗの関係になっている。本体１１には、前述したように、底面に吸込口１８が形成されている。本体１１の内部には吸込空間２０が形成されていて、吸込空間２０内には吸込口１８に臨むように回転ブラシ１９が設けられている。図２では回転ブラシ１９は模式的に二点鎖線の円で示されている。回転ブラシ１９は本体１１の幅方向に延びる回転軸を備え、その回転軸周面にブラシ束等が植立された構造をしており、吸込具１０が動作するときに回転される。その回転により被清掃面１００の塵挨が掻き上げられ、塵挨の吸引効率が向上する。
【００１８】
前シャッター１４は、矢印Ａ１で示すように、前後方向に変位可能である。前シャッター１４は、通常、実線で示すようにガイド面２１が被清掃面１００と当接し、被清掃面１００に沿って移動する状態になる。なお、ガイド面２１には、被清掃面１００を摺動し易いように、たとえば起毛布等が貼着されていてもよい。前シャッター１４は、１点鎖線で示すように、吸込口１８の前方を覆う方向に変位可能である。後述するように、本体１１が斜めにされて、ベッドの下等が清掃される場合に、吸込口１８の前方が被清掃面１００から浮き上がるため、吸込口１８の前方を覆うように前シャッター１４が機能する。
【００１９】
本体１１には、後方に、後シャッター１６が備えられている。後シャッター１６は、本体１１の幅方向に延びる支軸２１を中心に矢印Ａ２で示すように回動変位可能になっている。後シャッター１６は、図２において、紙面に垂直方向に延び、本体１１の幅方向に長手の板状部材であり、その幅方向両端の先端には、支軸２７にローラー１７が転動自在に取り付けられている。通常、後シャッター１６は、図２において、実線で示す状態になっており、回転ブラシ１９の後方側を覆っている。そしてローラー１７により、本体１１が被清掃面１００上を前後に移動し易くなっている。
【００２０】
本体１１の幅方向中央上端に設けられた接続突部１５は、球形の突片を有しており、その中に半球形状の接続管１２の先端１２１が嵌合している。よって、接続管１２は、本体１１に対して任意の方向へ回動変位し得る。
本体１１内には、吸込空間２０の上方に延びる案内流路２３が形成されていて、案内流路２３には接続管１２の接続流路２４が連通されている。
【００２１】
電気掃除機用吸込具１０は、通常、図１および図２に示すように、吸込口１８が被清掃面１００に対向されて置かれる。そして、本体１１の上部から後方へ向かって斜め上方へ突出する接続管１２に、電気掃除機本体につながれた吸込パイプなどが連結されて使用される。使用時には、吸込具１０は被清掃面１００を前後に移動される。その際、回転ブラシ１９が回転し、吸込口１８から空気および塵挨が吸い込まれ、吸込空間２０へ吸い込まれた空気および塵挨は、案内流路２３および接続流路２４を通って電気掃除機本体の集塵部へと吸引される。
【００２２】
図３は、ベッドの下等を清掃する場合の吸込具１０の状態を示す、吸込具１０の幅方向中央縦断面端面図である。図３に示すように、ベッドの下等を清掃する場合、吸込具１０は、本体１１が後方へ斜めに倒されて使用される。その際、後シャッター１６が開き、後シャッター１６で覆われていた回転ブラシ１９の後面が露出するとともに、前シャッター１４が変位して、吸込口１８の前方、すなわち回転ブラシ１９の前方側が覆われる。よって、本体１１が後方へ傾いた状態で使用されても、被清掃面１００上の塵挨を良好に吸引することができる。
【００２３】
図４は、電気掃除機用吸込具１０を用いて隙間清掃をする場合の、吸込具１０の状態を示す図である。図４に示すように、隙間清掃時には、本体１１に対して接続管１２が回動され、接続管１２が本体１１の幅方向に、たとえば右方向に斜め上方へ突出した状態にされる。前述したように、接続管１２は、本体１１の接続突部１５に連結され、任意の方向に突出するように回動自在である。それゆえ本体１１の状態はそのままとし、接続管１２を回動させることにより、図４に示す隙間清掃に適した状態となる。
【００２４】
図５は、隙間清掃の様子を表わす図であり、接続管１２に吸込パイプ２５が連結された状態が示されている。接続管１２は、本体１１の幅方向中央から、右方へ斜め上方に突出しており、その接続管１２に連結された吸込パイプは、吸込具１０を操作し易い角度および方向となっている。そしてこの状態で、吸込具１０を、本体１１の幅方向に前後させることにより、隙間清掃が良好に行える。
【００２５】
以上説明した第１実施形態に係る電気掃除機用吸込具１０は、本体１１が、左右方向に延びる幅Ｗが長く、前後方向の奥行Ｄが短い形状をしており、被清掃面１００に対向する吸込口１８を有している。そして本体１１の幅方向中央上部には、接続管１２が回動自在に突設されている。それゆえ、本体１１の吸込口１８を被清掃面１００に対向させた状態のまま、接続管１２の突出方向を回動させることにより、広い被清掃面１００（図２参照）であっても、狭い被清掃面１００（図４参照）であっても、吸込口１８が被清掃面１００に対向した状態で、本体１１を移動させて清掃を行うことができる。
【００２６】
また、ベッドの下等の被清掃面１００上の空間が狭い被清掃面１００を清掃する場合（図３参照）であっても、本体１１を後方へ斜めに傾け、良好に清掃を行える。その際、本体１１には前シャッター１４および後シャッター１６が備えられているので、吸込口１８が被清掃面１００に対向するようにされ、被清掃面１００に対向しない吸込口１８が閉じられて、良好な吸込状態を維持することができる。
【００２７】
図６〜図９は、この発明の第２実施形態に係る電気掃除機用吸込具３０を説明するための図であり、図６は、吸込具３０の平面図である。
図６を参照して、吸込具３０には、本体３１および接続管３２が備えられている。接続管３２は、本体３１に対して上下方向に回動自在に取り付けられた第１接続管３３と、第１接続管３３に対して左右方向に回動自在に取り付けられた第２接続管３４とを有している。本体３１は、左右方向である幅Ｗが長く形成されており、前後方向である奥行Ｄは短く形成されている。接続管３２は、本体３１の幅Ｗ方向中央部に備えられている。
【００２８】
図７は、吸込具３０の幅方向中央縦断面図である。本体３１の底面は被清掃面１００に対向しており、底面には吸込口３５が形成されている。本体３１内には吸込空間２９が形成され、そこには本体３１の幅方向に延びる回転ブラシ３６が内蔵されている。回転ブラシ３６は、その周面の一部が吸込口３５から臨んでおり、被清掃面１００上の塵挨を掻き上げて、吸込効率を向上させる。
【００２９】
本体３１の幅方向中央上部には、第１接続管３３が、上下方向に回動自在に連結されている。第１接続管３３は、断面円形の連結部３７を有し、本体３１の連結部３８（図６も参照）と係合されている。第１接続管３３には、その後部に垂直方向の軸を中心に円形に形成された連結部３９が備えられている。連結部３９には、第２接続管３４の先端部３４１が、連結部３９に対して水平方向に左右に回動自在に接続されている。すなわち、第１接続管３３に対して、第２接続管３４は、第１接続管３３の上側に段差が生じるように連結されている。このため、図７に示すように、接続流路４１は、本体後方に延び、上方に延び、かつ後方に延びるクランク状をしている。
【００３０】
なお、本体３１の後ろ下方には、一対のローラ４０が備えられている。
図６および図７において、被清掃面１００に対して本体３１を前後方向に移動させて清掃を行う場合において、本体３１に対して第１接続管３３を所定の角度に傾けることによって、第２接続管３４が本体３１の上部から後方に向かって、斜め上方に突出した状態となるから、第２接続管３４に吸込パイプを接続したとき、吸込パイプが操作し易い角度になる。
【００３１】
次に、隙間清掃を行う場合を説明する。図７に示す状態から、まず、第１接続管３３を上方へ約９０°回動させ、第２接続管３４が垂直上方に延びる状態にする。さらに第２接続管３４を本体３１の幅方向に右側へ回動させる。これにより、図８および図９に示す状態にすることができる。この状態では、第２接続管３４は、本体３１の幅Ｗ方向に延びており、第２接続管３４に吸込パイプ等を接続したとき、吸込パイプの方向と本体３１の幅方向とが同じ方向になり、吸込具３０は隙間清掃に適した状態となる。
【００３２】
第１接続管３３および第２接続管３４は、本体３１の上部に備えられており、本体３１から後方に突出している量が少ないので、比較的狭い隙間であっても、吸込具３０を用いて清掃が行える。
また、第１接続管３３と第２接続管３４とが、上下方向に段差を有するように連結されているので、隙間清掃に適した状態に接続管３２を回動させた場合、図９に示すように、第２接続管３４が、本体３１の前後方向ほぼ中央に位置する。第２接続管３４に連結された吸込パイプ等を操作して、本体３１を幅方向に移動されても、本体３１は倒れにくい。つまり、第２接続管３４は本体３１の前後方向略中央部にあるので、隙間清掃時の本体３１の安定感が増し、本体３１が倒れることはない。
【００３３】
図１０〜図１４は、この発明の第３実施形態に係る電気掃除機用吸込具５０の説明図である。
図１０は、吸込具５０の平面図であり、その一部が切欠かれて内部構造が示されている。吸込具５０は、本体５１ならびに第１接続管５２および第２接続管５３を有する接続管５４を含む。図１１は、図１０におけるＡ−Ａ′に沿った切断面図である。図１０、図１１に示すように、本体５１の幅方向左側には、上部後方寄りに、回転ブラシ５５を回転させるためのモータ５６が内蔵されている。
【００３４】
図１２は、吸込具５０の幅方向中央縦断面図である。図１０〜１２を参照して、本体５１には、上下方向に回動自在に第１接続管５２が連結されており、第２接続管５２に対して左右方向に回動自在に第２接続管５３が連結されている。第１接続管５２と第２接続管５３との連結状態は、接続流路５７がほぼ真っ直ぐに延びるような連結状態になっている。すなわち、第１接続管５２の後部には、上下に、平面視円形の接続突起５８が突設されていて、この接続突起５８を中心に第２接続管５３はその前方部が左右に水平に回動するように、平面視円形の接続部５９を備えている。
【００３５】
通常の清掃状態では、図１０、図１２に示すように、第２接続管５３は本体５１の後方側に延びるようにされ、第２接続管５３に電気掃除機本体に接続された図示しない吸込パイプ等が接続されて、本体５１が前後方向に移動される。
一方、隙間清掃を行う場合には、本体５１に対して第１接続管５２が上方へ約９０°回動され、第２接続管５３が垂直上方になるようにされる。そしてその状態で、第２接続管５３が回動されて、第２接続管５３が本体５１の幅方向、たとえば左方向へ突出する状態にされる。その状態が、図１３および図１４に示されている。
【００３６】
図１３は、隙間清掃状態にされた吸込具５０の平面図であり、図１４はその幅方向中央縦断面図である。図１３に示すように、隙間清掃状態にしたとき、本体５１に内蔵されたモータ５６と、第１接続管５２および第２接続管５３とは、本体５１の幅方向に見て、ほぼ直線状に並んでいる。従って、第１接続管５２および第２接続管５３が、本体５１の奥行Ｄよりも後方に突出することはない。なお、図１２、１４において、４０はローラーである。
【００３７】
図１５〜図１８は、第３実施形態の変形例に係る電気掃除機用吸込具５０を示す図である。図１５〜図１８に示す吸込具５０が、図１０〜図１４に示す吸込具５０と異なる点は、回転ブラシ５５を駆動するためのモータ５６が、回転ブラシ５５内に内蔵されている点である。このように、回転ブラシ５５内にモータ５６を内蔵することにより、モータ５６の配置スペースを、回転ブラシ５５の配置スペースとは別に、本体５１内に確保する必要がなくなり、本体５１が、モータ配置スペースのために一部膨らむことを防止できる。
【００３８】
その結果、本体５１の前後方向の奥行Ｄをより小さくすることができる。また、本体５１内において、回転ブラシ５５は下方部に配置されている。すなわち吸込口３５に周面が臨むように回転ブラシ５５は配置されている。そして比較的重量のあるモータが、回転ブラシ内に内蔵されているため、本体５１全体の重心はモータによって低い位置になる。このため、本体５１を前後方向に移動させて清掃を行う場合、および、幅方向に移動させて清掃を行う場合のいずれの場合であっても、本体１１は下方に重心があり、安定した状態で被清掃面１００を移動することができる。
【００３９】
この発明は、以上説明した実施形態に限定されるものではなく、請求項記載の範囲内において種々の変更が可能である。
【図面の簡単な説明】
【００４０】
【図１】この発明の第１実施形態に係る電気掃除機用吸込具１０の正面図であるる
【図２】電気掃除機用吸込具１０の左右方向中央縦断面端面図である。
【図３】ベッドの下等を清掃する場合の吸込具１０の状態を示す、吸込具１０の幅方向中央縦断面端面図である。
【図４】電気掃除機用吸込具１０を用いて隙間清掃する場合の、吸込具１０の状態を示す図である。
【図５】隙間清掃の様子を表わす図であり、接続管１２に吸込パイプ２５が連結された状態を示す図である。
【図６】この発明の第２実施形態に係る電気掃除機用吸込具３０の平面図である。
【図７】図６に示す吸込具３０の幅方向中央縦断面図である。
【図８】吸込具３０を隙間清掃に適した状態にしたときの平面図である。
【図９】図８に示す吸込具３０の幅方向中央縦断面図である。
【図１０】この発明の第３実施形態に係る電気掃除機用吸込具５０の平面図であり、その一部が切欠かれて内部構造が示されている図である。
【図１１】図１０におけるＡ−Ａ′に沿った切断面図である。
【図１２】図１０に示す吸込具５０の幅方向中央縦断面図である。
【図１３】隙間清掃状態にされた吸込具５０の平面図である。
【図１４】図１３に示す吸込具５０の幅方向中央縦断面図である。
【図１５】この発明の第３実施形態に係る吸込具５０の変形例を示す図であり、通常清掃時の吸込具５０の平面図である。
【図１６】図１５に示す吸込具５０の幅方向中央縦断面図である。
【図１７】図１５に示す吸込具５０を隙間清掃状態にしたときの平面図である。
【図１８】図１７に示す吸込具５０の幅方向中央縦断面図である。
【符号の説明】
【００４１】
１０、３０、５０    電気掃除機用吸込具
１１、３１、５１    本体
１２、３２、５４    接続管
３３、５２    第１接続管
３４、５３    第２接続管
１８、３５    吸込口
１９、３６、５５    回転ブラシ
２５    吸込パイプ
５６    モータ
【図１】
2007000277.tif 000003
【図２】
2007000277.tif 000004
【図３】
2007000277.tif 000005
【図４】
2007000277.tif 000006
【図５】
2007000277.tif 000007
【図６】
2007000277.tif 000008
【図７】
2007000277.tif 000009
【図８】
2007000277.tif 000010
【図９】
2007000277.tif 000011
【図１０】
2007000277.tif 000012
【図１１】
2007000277.tif 000013
【図１２】
2007000277.tif 000014
【図１３】
2007000277.tif 000015
【図１４】
2007000277.tif 000016
【図１５】
2007000277.tif 000017
【図１６】
2007000277.tif 000018
【図１７】
2007000277.tif 000019
【図１８】
2007000277.tif 000020